(57)【特許請求の範囲】
【請求項１】
被露光媒体をスキャンするスキャナ装置であって、
前記被露光媒体をスキャンするためのスキャン用の光を前記被露光媒体に照射する第１光源、
前記被露光媒体に赤色光を照射する第２光源、および
光を検出する検出手段を備え、
前記第１光源は、前記被露光媒体に対して前記検出手段とは反対側の領域であって前記第１光源から発せられ前記被露光媒体のうち異常部位以外の部分を透過した前記スキャン用の光が前記検出手段に到達する領域に配置され、
前記第２光源は、前記被露光媒体に対して前記検出手段とは反対側の領域であって前記第２光源から発せられ前記被露光媒体のうち前記異常部位以外の部分を透過した前記赤色光が前記検出手段に到達することのない領域でありかつ前記第１光源から発せられる前記スキャン用の光の光軸を囲むように配置され、
前記検出手段が前記被露光媒体を透過し前記被露光媒体に存在する前記異常部位によって乱された光路をたどって到達した前記赤色光を検出することによって前記異常部位を検出する、スキャナ装置。
【請求項２】
前記被露光媒体は、現像工程を経たあと漂白工程および定着工程のうち少なくともいずれか一方の工程を経ずに現像処理されたフィルムである、請求項１に記載のスキャナ装置。
【請求項３】
被露光媒体を透過したスキャン用の光に基づいて前記被露光媒体をスキャンするスキャン方法であって、
前記スキャン用の光の光軸を囲むように発せられる赤色光を前記被露光媒体に照射し、前記被露光媒体を透過する前記赤色光のうち、前記被露光媒体に存在する異常部位によって光路が乱された前記赤色光を検出することで前記異常部位を検出する、スキャン方法。
【請求項４】
前記被露光媒体は、現像工程を経たあと漂白工程および定着工程のうち少なくともいずれか一方の工程を経ずに現像処理されたフィルムである、請求項３に記載のスキャン方法。
【発明の詳細な説明】
【０００１】
【発明の属する技術分野】
この発明は、スキャナ装置およびスキャン方法に関し、より特定的には現像工程を経たあと漂白工程や定着工程を経ずに現像処理されたネガフィルムをスキャンするスキャナ装置およびスキャン方法に関する。
【０００２】
【従来の技術】
従来のスキャナ装置は、ネガフィルムに光を照射する光源を含む。光源によってネガフィルムに照射され透過した光はＣＣＤセンサによって受光され、受光された光は電気信号である画素信号に変換される。この画素信号に所定の変換処理が施されて画像データが得られる。
【０００３】
ネガフィルムに傷や埃、指紋等の異常部位が存在すると、ネガフィルムに照射された光は、屈折、回折、反射等によって光路を乱される。ネガフィルムにこのように光源からＣＣＤセンサに至る光路を乱す異常部位が存在する場合、その異常部位に対応して白抜け等の異常な画像（以下、「傷画像」という。）がスキャンして得られるスキャン画像にあらわれてしまい問題である。
【０００４】
このような問題を解決する手段として、特開平１１−２１５３１９号に、ネガフィルムに存在する異常部位を検出する技術が提案されている。
この技術で用いられるスキャナ装置は、ネガフィルムの画像情報を読み取るために平行光を発する第１光源部、異常部位の検出のために拡散光を発する第２光源部、およびネガフィルムを透過した光を受光するＣＣＤセンサを含む。第２光源部は、ネガフィルムに対してＣＣＤセンサとは反対側の領域であって第２光源部から発せられた光がネガフィルムを透過してＣＣＤセンサに到達することのない領域に設けられる。そして、第２光源部が拡散光を発し、その拡散光が異常部位によって光路を乱されＣＣＤセンサに到達することで異常部位を検出する。
【０００５】
また、ネガフィルムに赤外線を照射して異常部位を検出するデジタルアイス（Applied Science Fiction社の登録商標）が知られている。この技術では、可視光はネガフィルムの色素を読み取るが、赤外線は色素を読み取らないという性質を利用している。具体的には、可視光でスキャンした場合、スキャン画像にあらわれた白抜けが、異常部位に対応した傷画像なのか、あるいはネガフィルムに記録されている画像情報に対応した正常な画像なのかを識別できない。これに対して、赤外線でスキャンした場合、色素を読み取らないすなわち画像情報を読み取らないので、白抜けが、異常部位に照射された赤外線が乱反射してＣＣＤセンサに受光されないことによって生じた傷画像であると識別できる。このようにこの技術では、ＣＣＤセンサに受光されない部分を異常部位として検出する。
【０００６】
【発明が解決しようとする課題】
ところで、特開平１１−２１５３１９号の技術では、平行光を発する第１光源部でネガフィルムをスキャンしても異常部位なのか画像なのかを識別できないので、上述のように異常部位の検出のために所定位置に配され拡散光を発する第２光源部を別途必要とする。しかし、拡散光は平行光と比較してネガフィルムの透過効率において劣るので、より高精度に異常部位を検出するためには光量を大きくする必要がある。
【０００７】
また近頃では、従来の一般的な現像処理に対して、迅速に現像処理する方法（以下、「迅速現像処理」という。）が提案されている。一般的な現像処理では、感光したハロゲン化銀を金属銀にするとともにカラーカプラーから色素を生成する発色現像工程、金属銀をハロゲン化銀に戻す漂白工程、ハロゲン化銀をネガフィルムから洗い流す定着工程、ネガフィルムに付着した薬品を洗浄して経時変化を抑制する安定工程、およびネガフィルムを乾燥させる乾燥工程のすべてを経て現像処理される。ここで、漂白工程および定着工程の両方が行われて脱銀される。これに対して、迅速現像処理では、発色現像工程を経たあと、漂白工程および定着工程のうち少なくともいずれか一方の工程を経ずに現像処理される。このため、迅速現像処理されたネガフィルムは、脱銀されていないため濃度が高い。
このような迅速現像処理されたネガフィルムでは、現像処理されても銀が残留し濃度が高いので光が透過しにくい。したがって、ネガフィルムに照射する光量を大きくする必要がある。
【０００８】
また、迅速現像処理されたネガフィルムでは、赤外線が照射されてもネガフィルム中に残留する銀によって反射されて透過できず、検出手段に届かない赤外線がある。したがって、異常部位で乱反射したために赤外線が検出手段に届かないのか、銀によって反射されたために届かないのかが識別できないので、デジタルアイスでは銀が残留するネガフィルムの異常部位を検出することはできない。
それゆえにこの発明の主たる目的は、光量を大きくすることなく精度良く異常部位を検出できる、スキャナ装置およびスキャン方法を提供することである。
【０００９】
【課題を解決するための手段】
【００１１】
上記課題を解決するために、請求項１に記載のスキャナ装置は、被露光媒体をスキャンするスキャナ装置であって、被露光媒体をスキャンするためのスキャン用の光を被露光媒体に照射する第１光源、被露光媒体に赤色光を照射する第２光源、および光を検出する検出手段を備え、第１光源は、被露光媒体に対して検出手段とは反対側の領域であって第１光源から発せられ被露光媒体のうち異常部位以外の部分を透過したスキャン用の光が検出手段に到達する領域に配置され、第２光源は、被露光媒体に対して検出手段とは反対側の領域であって第２光源から発せられ被露光媒体のうち異常部位以外の部分を透過した赤色光が検出手段に到達することのない領域でありかつ第１光源から発せられるスキャン用の光の光軸を囲むように配置され、検出手段が被露光媒体を透過し被露光媒体に存在する異常部位によって乱された光路をたどって到達した赤色光を検出することによって異常部位を検出する。
【００１２】
請求項２に記載のスキャナ装置は、請求項１に記載のスキャナ装置において、被露光媒体は、現像工程を経たあと漂白工程および定着工程のうち少なくともいずれか一方の工程を経ずに現像処理されたフィルムであることを特徴とする。
【００１４】
請求項３に記載のスキャン方法は、被露光媒体を透過したスキャン用の光に基づいて被露光媒体をスキャンするスキャン方法であって、スキャン用の光の光軸を囲むように発せられる赤色光を被露光媒体に照射し、被露光媒体を透過する赤色光のうち、被露光媒体に存在する異常部位によって光路が乱された赤色光を検出することで異常部位を検出する。
請求項４に記載のスキャン方法は、請求項３に記載のスキャン方法において、被露光媒体は、現像工程を経たあと漂白工程および定着工程のうち少なくともいずれか一方の工程を経ずに現像処理されたフィルムであることを特徴とする。
【００１７】
請求項１に記載のスキャナ装置では、青色光や緑色光など他の波長の光と比較して非常に被露光媒体の透過効率が優れる赤色光を異常部位の検出のために用いるので、光量を大きくすることなく高精度に異常部位を検出することができる。請求項３に記載のスキャン方法についても同様である。
【００１８】
迅速現像処理されたフィルムのように脱銀されず銀を含むフィルムに光を照射すると、異常部位に照射され光路を乱された光のみならず銀で反射された光も受光されず、両者を識別することが困難であった。また、脱銀されず濃度が高いので光が透過しにくく、照射する光量を大きくする必要があった。したがって、従来は銀を含むフィルムに存在する異常部位を検出することは困難であった。請求項２に記載のスキャナ装置では、異常部位に照射された光のみを受光し、また、平行光や赤色光を用いるので、銀を含むフィルムであっても異常部位を容易かつ光量を大きくすることなく検出することができる。請求項４に記載のスキャン方法についても同様である。
【００１９】
【発明の実施の形態】
以下、図面を参照して、この発明の実施の形態について説明する。
この発明の一実施形態のスキャナ装置１０は、たとえば図１に示すようにして迅速現像処理されたネガフィルム１２に存在する異常部位を検出するために用いられる。
【００２０】
具体的には、ネガフィルム１２は、パトローネ１４から引き出されると、発色現像槽１６の現像液１８に浸漬されて発色現像処理された（発色現像工程）後、乾燥装置２０によって乾燥され（乾燥工程）、スキャナ装置１０に搬送される。ネガフィルム１２は、必要に応じてカッタ２２によって切断される。なお、以下に説明するスキャナ装置４０も、迅速現像処理されたネガフィルム１２をスキャンするために用いられる。
ネガフィルム１２は、漂白工程や定着工程を省かれ脱銀されていないので銀を含み、迅速に現像処理されるものの濃度が高く光が透過しにくい。
このように、銀を含み光が透過しにくいネガフィルム１２でも、容易に異常部位を検出できるように、スキャナ装置１０は、以下のように構成される。
【００２１】
図２を参照して、スキャナ装置１０は光源２４を含む。光源２４としては、発光部となるフィラメントを１本備え、その長手方向が光の出射方向に対して平行になっている構成のハロゲンランプを用いることが好ましい。これは、このような構成のハロゲンランプが、ネガフィルム１２の方向から見た場合、理想的な点光源にもっとも近い発光を行い、後述するコンデンサレンズ２６を介してネガフィルム１２に向けて平行光を発することができ、さらにはネガフィルム１２上での光量むらを最小限にすることができるからである。しかしながら、このような構成のハロゲンランプに限定されるものではなく、例えば、発光部となるフィラメントを１本備え、その長手方向が光の出射方向に対して垂直になっているものや、フィラメントを２本備え、各フィラメントの長手方向が光の出射方向に対して平行になっているものなどを用いることも可能である。
【００２２】
光源２４のネガフィルム１２側の所定位置にはコンデンサレンズ２６が配置され、光源２４から発せられた光はコンデンサレンズ２６によって平行光になってネガフィルム１２に照射される。光源２４とコンデンサレンズ２６とで照光手段が構成される。
【００２３】
ネガフィルム１２を透過した光の光路上には、集光手段としての結像レンズ２８、遮光手段としての遮光板３０および検出手段としてのＣＣＤセンサ３２が、光源２４からの光の出射方向に沿ってこの順で配置される。結像レンズ２８には凸レンズが用いられる。ネガフィルム１２に平行光を照射すると、ネガフィルム１２を透過し結像レンズ２８によって集光された光は所定位置において焦点を結ぶ。遮光板３０は、この焦点の位置に配置され、受けた光を吸収する。また、遮光板３０は、結像レンズ２８とＣＣＤセンサ３２との間からはずれることができるようにたとえば上下方向に移動可能に形成され、結像レンズ２８は、コンデンサレンズ２６から出射される平行光の光路と平行方向に移動可能に形成される。
【００２４】
ここで、ネガフィルム１２には、傷や埃、指紋等、光源２４から遮光板３０に至る光路を乱す異常部位３４が存在する場合がある。
ネガフィルム１２のうち異常部位３４以外の部分に照射された光は、上述のように遮光板３０に結像して吸収されＣＣＤセンサ３２には届かない。これに対して、異常部位３４に照射された光は、屈折、回折、反射等によって光路を乱され、結像レンズ２８で集光されても遮光板３０に遮光されず、ＣＣＤセンサ３２に受光される。したがって、ＣＣＤセンサ３２が光を受けない場合には、ネガフィルム１２に異常部位３４が存在しないということになり、ＣＣＤセンサ３２が光を受けた場合には、ネガフィルム１２に異常部位３４が存在するということになる。
【００２５】
また、ネガフィルム１２に存在する異常部位３４の位置と、異常部位３４によって光路を乱された光がＣＣＤセンサ３２に受光される位置との対応関係は光学系によって決まるので、ＣＣＤセンサ３２のどの位置で受光したかを検出することによって、それに対応する異常部位３４がネガフィルム１２のどの位置に存在するのかを検出することができる。
【００２６】
図３を参照して、スキャナ装置１０は、上述のような異常部位３４の検出のために用いられる他に、ネガフィルム１２に記録される画像情報を読み取るためにも用いることができる。
このときには、遮光板３０は、結像レンズ２８とＣＣＤセンサ３２との間からはずれるようにたとえば上方に移動され、結像レンズ２８は、ネガフィルム１２を透過した光をＣＣＤセンサ３２に結像させるようにＣＣＤセンサ３２側へ移動される。これによって、ネガフィルム１２に照射された光はＣＣＤセンサ３２に結像され、ＣＣＤセンサ３２に結像された光は電気信号である画素信号に変換される。この画素信号にＡ／Ｄ変換処理が施されることによって、ネガフィルム１２に記録される画像情報に基づく画像データが得られる。
【００２７】
スキャナ装置１０によれば、異常部位３４によって光路を乱されることなくネガフィルム１２を透過した光はすべて遮光板３０で遮光される一方、異常部位３０によって光路が乱された光は遮光板３０で遮光されることなくＣＣＤセンサ３２に受光されるので、ＣＣＤセンサ３２に受光される光を検出することでネガフィルム１２の異常部位３４を検出することができる。
【００２８】
また、ネガフィルム１２のどの位置を透過した光がＣＣＤセンサ３２のどの位置で受光されるかは光学系によって決まるので、ＣＣＤセンサ３２のどの位置で受光したかを検出することによって、ネガフィルム１２のどの位置に異常部位３４が存在するのかを検出することができる。
異常部位３４の位置を検出できれば、デジタル画像処理によって異常部位３４に対応する傷画像の部分の濃度を上げる等して、傷画像の目立たない画像データを作成することができる。
【００２９】
さらに、拡散光と比較してネガフィルム１２の透過効率が優れる平行光を用いるので、高精度に異常部位３４を検出することができる。
また、異常部位３４に光路を乱されることなくネガフィルム１２を透過した光はすべて遮光板３０に遮光され、異常部位３４によって光路を乱された光のみがＣＣＤセンサ３２に受光されるというように、異常部位３４に照射された光と異常部位３４以外の部分に照射された光とを識別することができる。したがって、デジタルアイスでは、異常部位３４の検出に用いられる赤外線を発する光源と、画像情報の認識に用いられる可視光を発する光源との両方を必要とするのとは異なり、スキャナ装置１０では、可視光を発する光源２４を用いるので、光源２４を異常部位３４の検出用と画像情報の認識用とに共用することができ、構造が簡単になり低コスト化できる。
【００３０】
さらに、上述のように遮光板３０および結像レンズ２８を所定位置に移動させることによって、ネガフィルム１２を透過した光を受光してネガフィルム１２に記録された画像情報に基づく画像データを得ることができる。このように、結像レンズ２８を、異常部位３４の検出と画像情報の認識とに共用することができる。また、結像レンズ２８は、異常部位３４以外の部分を透過した光を遮光板３０に集光するためと、異常部位３４を透過した光をＣＣＤセンサ３２に集光するためとにも共用することができる。
また、遮光板３０を用いることで容易かつ確実に遮光でき、ＣＣＤセンサ３２を用いることで容易かつ精度良く光を検出することができる。
【００３１】
ところで、銀を含むネガフィルム１２に光を照射すると、異常部位３４に照射され光路を乱された光のみならず、異常部位３４以外の部分に照射された光のうち銀で反射された光もＣＣＤセンサ３２に受光されないので、これら２つの受光されない光を識別することが困難であった。また、脱銀されず濃度が高いので光が透過しにくく、照射する光量を大きくする必要があった。したがって、従来は銀を含むネガフィルム１２に存在する異常部位３４を検出することは困難であった。しかし、スキャナ装置１０では、これら２つの光のうち異常部位３４に照射された光のみを受光する構成とし、また、拡散光ではなく平行光を用いるので、銀を含むネガフィルム１２であっても異常部位３４を容易かつ光量を大きくすることなく検出することができる。
【００３２】
つぎに、図４を参照して、他の実施形態のスキャナ装置４０について説明する。
スキャナ装置４０は、ネガフィルム１２に向けて集光光を発する光源４２および赤色の拡散光を発する光源４４を含む。光源４２および４４は、後述する対物レンズ４８と集光レンズ４６との位置関係および焦点距離を考慮し、集光式の光源設計に基づいて位置決めされる。光源４２および４４の詳細については後述する。
【００３３】
光源４２および４４とネガフィルム１２との間には集光レンズ４６が配置される。また、図示しないが、光源４２および４４と集光レンズ４６との間にはミラートンネルが配置され、ネガフィルム１２はＡＮＭ（auto nega mask）で保持される。ミラートンネルは内面が鏡になった四角錘台形の筒であり光源４２や４４から発せられた光を効率良くネガフィルム１２に導く機能を有する。ミラートンネルから出射された光は集光レンズ４６によって集光されネガフィルム１２に照射される。
【００３４】
ネガフィルム１２を透過した光の光路上に、対物レンズ４８およびＣＣＤセンサ５０が、光源４２および４４からの光の出射方向にこの順序で配置される。対物レンズ４８は、光軸Ｌ方向に移動可能であり、ネガフィルム１２を透過した光をＣＣＤセンサ５０に結像させる。また、対物レンズ４８には絞り４８ａが設けられており、ＣＣＤセンサ５０に入射する光量が適宜調整される。ＣＣＤセンサ５０は、複数の受光素子を備え、受光素子ごとに受光量に応じた電気信号を出力する。
【００３５】
つぎに図５をも参照して、光源４２および４４について説明する。
光源４２は、主としてネガフィルム１２の異常部位３４以外の部分を介してＣＣＤセンサ５０に受光される光（集光光）を発する。具体的には、光源４２は、複数のＬＥＤからなるＬＥＤ群４２ａと、ＬＥＤ群４２ａを固定するＬＥＤ基板４２ｂと、拡散板４２ｃ（図３参照）とを含む。ＬＥＤ群４２ａは、赤色、緑色、青色の光をそれぞれ発する複数のＬＥＤから構成される。拡散板４２ｃは、たとえば肉眼でほぼ透視できるくらいの粗度を有するスリガラスであり、ＬＥＤ群４２ａの頭部近傍に配置され、各ＬＥＤから発せられる光を適切に拡散する。また、光源４２は、ＣＣＤセンサ５０の受光範囲の大小に対応するために、光軸Ｌと平行な方向に移動可能に形成される。
【００３６】
光源４４は、光源４２の周りに枠状に形成され、主としてネガフィルム１２に存在する異常部位３４を介してＣＣＤセンサ５０に受光される光（拡散光）を発する。具体的には、光源４４は、赤色光を発する複数のＬＥＤからなるＬＥＤ群４４ａと、ＬＥＤ群４４ａを固定するＬＥＤ基板４４ｂと、拡散板４４ｃ（図３参照）とを含む。
【００３７】
ＬＥＤ基板４４ｂの中央部には、光源４２から発せられる光をそのまま通過させる矩形状の開口４４ｄが形成されている。したがって、ＬＥＤ基板４４ｂは、光軸Ｌを中心にして環状に形成されており、それゆえ、ＬＥＤ基板４４ｂ上に固定されるＬＥＤも環状に配置される。拡散板４４ｃは、たとえば肉眼でほぼ透視できるくらいの粗度を有するスリガラスであり、ＬＥＤ群４４ａの頭部近傍に配置され、各ＬＥＤから発せられる光を適切に拡散する。また、拡散板４４ｃの中央部には、光源４２から発せられる光をそのまま通過させる矩形状の開口が形成される。
【００３８】
つぎに、光源４２および４４の、光軸Ｌに対する相対的な位置関係について説明する。
図４の斜線領域は、光源を配置したとしても、ＣＣＤセンサ５０のどの位置にも光が直接届かない領域を示している一方、図４の斜線領域に挟まれた光軸Ｌ周囲の斜線が入っていない領域は、光源を配置すれば、ＣＣＤセンサ５０のどこかの位置に必ず光が直接届く領域を示している。斜線領域と斜線が入っていない領域との境界線上を進む光は、ネガフィルム１２の端部を通り、ＣＣＤセンサ５０の端部に達することになる。
【００３９】
ここで、スキャナ装置４０の重要な特徴として、光源４２が、斜線が入っていない領域において光軸Ｌを中心に配置され、光源４４が、斜線領域に配置されるように、光源４２と４４との位置関係が設定される。したがって、ネガフィルム１２に異常部位３４が存在しない場合には、光源４４から発せられた光はもちろんＣＣＤセンサ５０には届かない。
したがって、光源４４から発せられた光をＣＣＤセンサ５０が検出することで、ネガフィルム１２に異常部位３４が存在することを認識することができる。
【００４０】
また、上述のような位置関係にある光源４２と４４とを利用することによって、ネガフィルム１２に異常部位３４が存在する場合でも、傷画像のない良好なスキャン画像を得ることができる。以下、図６を参照して、この原理について説明する。
【００４１】
図６（ａ）は、ノッチ状の異常部位３４が存在するネガフィルム１２の主面１２ａに、光源４２から発せられた光が垂直に入射し透過する様子を示している。図６（ａ）に示すように、異常部位３４に照射された光５２ｃおよび５２ｄは、異常部位３４にて屈折するためＣＣＤセンサ５０に到達しない。しかし、異常部位３４以外の部分に照射された光５２ａ，５２ｂ，５２ｅおよび５３ｆは、ネガフィルム１２をそのまま透過しＣＣＤセンサ５０に到達する。
【００４２】
図６（ｂ）は、ネガフィルム１２の主面１２ａに、光源４４から発せられた赤色の拡散光が斜め上から入射し透過する様子を示している。図６（ｂ）に示すように、異常部位３４以外の部分に入射した光５４ａ，５４ｂ，５４ｃ，５４ｆ，５４ｇおよび５４ｈは、ネガフィルム１２をそのまま透過するためＣＣＤセンサ５０には到達しない。しかし、異常部位３４の上側傾斜面に入射した光の中には、異常部位３４にて屈折しネガフィルム１２の出射側の主面１２ｂから垂直に出射され、ＣＣＤセンサ５０に到達する光５４ｄが含まれる。
【００４３】
同様に、図６（ｃ）に示すように、ネガフィルム１２の主面１２ａ、光源４４から発せられた赤色の拡散光が斜め下から入射し透過する場合、異常部位３４以外の部分に入射した光５６ａ，５６ｂ，５６ｃ，５６ｆ，５６ｇおよび５６ｈはＣＣＤセンサ５０には到達しないのに対し、異常部位３４の下側傾斜面に入射した光の中には、異常部位３４において屈折しネガフィルム１２の出射側の主面１２ｂから垂直に出射され、ＣＣＤセンサ５０に到達する光５６ｅが含まれる。
つまり、ＣＣＤセンサ５０に到達する光５４ｄおよび５６ｅは、異常部位３４を露光してＣＣＤセンサ５０に結像するので、ＣＣＤセンサ５０によって測光されて得られるスキャン画像において、異常部位３４に対応する白抜け等の傷画像が発生することがない。
【００４４】
したがって、図６（ｄ）に示すように、光源４２から発せられネガフィルム１２で屈折することなくＣＣＤセンサ５０に結像される光５２ａ，５２ｂ，５２ｅおよび５２ｆと、光源４４から発せられネガフィルム１２の異常部位３４によって屈折されてＣＣＤセンサ５０に到達する光５４ｄおよび５６ｅとを合わせてＣＣＤセンサ５０を露光することによって、異常部位３４に対応する傷画像がスキャン画像に形成されるのを防ぐことができる。
【００４５】
このとき、光源４２と光源４４との位置関係として、上述したように、光源４２を光軸Ｌ上に配置する一方で、ＣＣＤセンサ５０に直接光が届かない領域に光源４４を配置することが重要である。これによって、光源４４は、光源４２から発せられる光に光量むらを生じさせることがなく、異常部位３４の検出や、傷画像の目立たなくされたスキャン画像を得るために役立てられる。
【００４６】
スキャナ装置４０によれば、青色光や緑色光など他の波長の光と比較して非常にネガフィルム１２の透過効率が優れる赤色光を発する光源４４を用いるので、拡散光であっても光量を大きくすることなく、高精度な異常部位３４の検出や、高度に傷画像を目立たなくされたスキャン画像の作成をすることができる。
また、迅速現像処理されたネガフィルム１２のスキャンにおいては、赤色光、緑色光、青色光の順で必要光量が大きくなるという傾向が顕著となり、特に、漂白工程および定着工程が行われず発色現像工程のみで現像処理が終了されたネガフィルムでは、赤色光は青色光に比べて１／１００以下の光量で済む。したがって、銀を含み濃度が高いネガフィルム１２であっても、光量を大きくすることなく、高精度な異常部位３４の検出や、高度に傷画像を目立たなくされたスキャン画像の作成をすることができる。
【００４７】
なお、図７を参照して、スキャナ装置１０および４０は、発色現像処理された（発色現像工程）後、漂白槽５８の漂白液６０に浸漬されて漂白処理が施され（漂白工程）、さらに乾燥装置２０で乾燥される（乾燥工程）ことによって迅速現像処理されたネガフィルム１２に存在する異常部位３４を検出するために用いることもできる。
また、図７において、漂白工程に代えて定着工程を行った場合も金属銀がハロゲン化銀に戻されていないために脱銀されず、ネガフィルム１２の濃度が高くなるが、このようなネガフィルム１２に存在する異常部位３４を検出するためにもスキャナ装置１０および４０を適用することができる。
【００４８】
さらに、迅速現像処理において、現像液１８や漂白液６０、または定着液等をネガフィルム１２に付与する手段は、発色現像槽１６や漂白槽５８等に浸漬させるものに限定されず、それぞれの液を刷毛やローラで塗布したり、スプレーで噴霧したり、または布等に染み込ませたものを用いて塗布してもよい。
また、スキャナ装置１０および４０は、迅速現像処理されたネガフィルム１２のみならず、白黒用のネガフィルムに存在する異常部位を検出するために用いても有効である。
【００４９】
【発明の効果】
この発明によれば、光量を大きくすることなく高精度に異常部位を検出することができる。
【図面の簡単な説明】
【図１】ネガフィルムの迅速現像処理の一例を示す図解図である。
【図２】この発明の一実施形態を示す図解図である。
【図３】遮光板および結像レンズが所定位置に移動され、ネガフィルムを透過した光がＣＣＤセンサに結像される様子を示す図解図である。
【図４】他の実施形態を示す図解図である。
【図５】図４に示す実施形態に用いられる光源を示す斜視図である。
【図６】（ａ）は、ネガフィルムの面に対して垂直に入射する光が異常部位にて屈折し、ＣＣＤセンサへの光路から外れる様子を示す図解図であり、（ｂ）は、ネガフィルムの面に対して斜め上から入射する光が異常部位にて屈折し、ＣＣＤセンサに導かれる様子を示す図解図であり、（ｃ）は、ネガフィルムの面に対して斜め下から入射する光が異常部位にて屈折し、ＣＣＤセンサに導かれる様子を示す図解図であり、（ｄ）は、ネガフィルムの面に対して垂直に入射する光と斜め方向から入射する光とを両方用い、両方の光がＣＣＤセンサに導かれる様子を示す図解図である。
【図７】ネガフィルムの迅速現像処理の他の例を示す図解図である。
【符号の説明】
１０，４０      スキャナ装置
１２      ネガフィルム
１６      発色現像槽
１８      現像液
２４，４４      光源
２８      結像レンズ
３０      遮光板
３２，５０      ＣＣＤセンサ
３４      異常部位
５８      漂白槽
６０      漂白液
【図１】
0003695389.tif 000002
【図２】
0003695389.tif 000003
【図３】
0003695389.tif 000004
【図４】
0003695389.tif 000005
【図５】
0003695389.tif 000006
【図６】
0003695389.tif 000007
【図７】
0003695389.tif 000008